(57)【要約】【課題】  使用時にはワンタッチでゴミ袋が容易に着脱でき、ゴミの投入がしやすく、未使用時には折り畳める容器の要らない鋼管製折り畳みゴミ袋の口保持傾斜スタンドを提供する。【解決手段】  成型可能な鋼管を角部曲げ押し冶具と角部曲げ受け冶具で押圧して左右角部を成型した上部より下部を任意の寸法広げた梯形コの字形の内枠１の外側に、同じく鋼管で梯形コの字形に成型した外枠２をＸ字形立設状態で内枠上面より任意の寸法上面を高く設定して外設し、中間部分を回動可能に軸着部材３で軸着し、堅牢で加工容易な平板を内枠と外枠が前後に一定以上開かない位置で係止する抑止板４を軸着部分に冠着し軸着部材３で添設する。内枠と外枠の上部左右にビス６を螺着し、下端にはパイプキャップ７を装着する。【選択図】図３
2013249176.tif 000002
【特許請求の範囲】
【請求項１】
成型可能な鋼管を角部曲げ押し冶具と角部曲げ受け冶具で押圧して左右角部を成型した上部より下部を任意の寸法広げた梯形コの字形の内枠の外側に、同じく鋼管で梯形コの字形に成型した外枠をＸ字形立設状態で内枠上面より任意の寸法上面を高く設定して外設し、中間部分を回動可能に軸着部材で軸着し、堅牢で加工容易な平板を内枠と外枠が前後に一定以上開かない位置で係止する両側抑止板を軸着部分に冠着し軸着部材で添設する。内枠と外枠の上部左右にビスを螺着し、下端にはパイプキャップを装着したことを特徴とする鋼管製折り畳みゴミ袋の口保持傾斜スタンド。
【請求項２】
内枠と外枠が前後に一定以上開かない位置で係止する両側抑止板を、内枠と外枠の開きを片側のみとする片側抑止板に変えて軸着部分に冠着して軸着部材で添設したことを特徴とする請求項１に記載の鋼管製折り畳みゴミ袋の口保持傾斜スタンド。
【請求項３】
内枠と外枠の上部寸法を必要ゴミ袋装着分伸ばし、左右のビスの間に一定の間隔でゴミ袋装着分のビスを螺着したことを特徴とする請求項１乃至２に記載の鋼管製折り畳みゴミ袋の口保持傾斜スタンド。
【請求項４】
内枠の左右下端に装着しているパイプキャップに変えてキャスターを設けたことを特徴とする請求項１乃至２乃至３に記載の鋼管製折り畳みゴミ袋の口保持傾斜スタンド。
【発明の詳細な説明】
【技術分野】
【０００１】
本発明は、各種材質の鋼管に角部曲げ冶具を用いて梯形コの字形に成型した内枠に同形の外枠を外設して回動可能に軸着し、Ｘ字形立設状態において内枠の上面より外枠上面を任意の寸法高くし両端にビスを設けることにより、折り畳みが可能でゴミ袋の着脱とゴミの投入が容易な容器の要らない鋼管製折り畳みゴミ袋の口保持傾斜スタンドに関するものである。
【背景技術】
【０００２】
本発明者は、先に容器の要らない折り畳みゴミ袋の口保持傾斜スタンドとして、一例では、成形可能なL形の鋼材で上部より下部を任意の寸法広げた梯形コの字形に成形した内枠の外側に、同じく平形の鋼材で梯形コの字形に成形した外枠をＸ字形立設状態で内枠上面より任意の寸法上面を高く設定して外設し、中間部分を回動可能に軸と軸止めで軸着し、内枠と外枠の上部片側に内枠切欠と外枠切欠を設け、内枠片側の軸着付近下部に開き防止ストッパーを固着する形態を提案している。（特許文献１）二例では、堅牢なパイプと継ぎ手部品を用い、外左右縦枠と外上横枠を９０度エルボでコの字形の外枠を成形し、同じく上面を任意の寸法低くした外枠に内設する内左右縦枠と内上横枠を９０度エルボで成形した内枠を外左右縦枠の中央部分で回動可能に軸と軸止めでスペーサーを介して軸着し、外上横枠と内上横枠上面に一定間隔でビスを螺着し外左右縦枠の軸着部分上部にストッパーを設けると共に外枠と内枠の上面内側をチェーンで連結する形態を提案している。（特許文献２）
【先行技術文献】
【特許文献】
【０００３】
【特許文献１】登実案第３１７２３２３号
【特許文献２】特願２０１２−０２７５６２
【発明の概要】
【発明が解決しようとする課題】
【０００４】
発明が解決しようとする課題は、先の提案一例は、内枠をＬ形鋼、外枠を平形鋼としているが、曲げ強度面において内枠のＬ形鋼で外枠の平形鋼を補完する形態である。この形態で試作したが、平形鋼の板厚が薄いと曲がりやすいので対策として板厚を厚くするか平形鋼にビート加工等の補強加工が必要となる。又、切欠に袋の口を装着するが、一定場所での固定使用では常に袋の口が張設されているので外れることはないが、移動させる場合には安易に外れることがあることも判明した。従って、内枠と外枠に強度を有する同一材料を使用し袋の口の係止を切欠から突起部品に変える等全ての面において再検討の必要が生じた。二例では、内枠と外枠に９０度エルボを使用しているので強度面では問題はなく袋の口も上面に設けたビスに装着するので外れることはない。但し、製作面において、使用する市販の９０度エルボは限定される為に多様なサイズが要求される折り畳みゴミ袋スタンドにはコストも含めて対応が限定され一例と同様に再検討する必要が生じた。従って、発明が解決しようとする課題は、一例と二例を合算し、この中でのプラス部分を集約することにより、従来提案されていない形態の鋼管製折り畳みゴミ袋の口保持傾斜スタンドを提供することである。
【課題を解決するための手段】
【０００５】
上記の課題を解決するための手段は、成型可能な鋼管を角部の曲げ押し冶具と曲げ受け冶具で押圧して左右角部を成型した上部より下部を任意の寸法広げた梯形コの字形の内枠の外側に、同じく鋼管で梯形コの字形に成型した外枠をＸ字形立設状態で内枠上面より任意の寸法上面を高く設定して外設し、中間部分を回動可能に軸着部材で軸着し、堅牢で加工容易な平板を内枠と外枠が前後に一定以上開かない位置で係止する両側抑止板を軸着部分に冠着し軸着部材で添設する。内枠と外枠の上部左右にビスを螺着し、下端にはパイプキャップを装着する。
【０００６】
内枠と外枠が前後に一定以上開かない位置で係止する両側抑止板を内枠と外枠の開きを片側のみとする片側抑止板に変えて軸着部分に冠着して軸着部材で添設する。
【０００７】
内枠と外枠の上部を必要ゴミ袋装着分伸ばし、左右のビスの間に一定の間隔でゴミ袋装着分のビスを螺着する。
【０００８】
内枠の左右下端に装着しているパイプキャップに変えてキャスターを設ける。
【発明の効果】
【０００９】
通常鋼管を曲げる場合にはパイプベンダーを使用するが鋼管の材質により最小曲げ半径が決まっておりそれ以上に曲げようとすれば破断する。本発明の鋼管製折り畳みゴミ袋の口保持傾斜スタンドは、内枠と外枠のコの字形角部分を凸形と凹形の角部曲げ冶具で押圧して成型するので鋼管の材質及び径に関係なくパイプベンダーでの曲げ以上の曲げ角度で成型することが出来る。従って、各サイズの鋼管を選定することにより多様な用途に対応することができる。又、折り畳み形式なので、使用時にはワンタッチで設置でき、使用時スタンドは内枠と外枠が傾斜して開くが軸着部分に冠着する両側係止板はどちらの方向にも一定の位置で内枠と外枠を係止させるので状況に合わせて開く方向を考えなくてよくスタンドが全開しないのでゴミ袋の装着が容易に行える。但し、用途によっては片側のみでよい場合には片側係止板を冠着する。内枠と外枠の上部左右に螺着したビスは頭と胴部分でゴミ袋の口が確実に装着でき投入口が傾斜しているのでゴミが入れやすい。作業途中でスタンドを移動させる場合においても、ゴミ袋の口がビスでしっかりと張設されているので外れにくく、取り外しも両枠を少し狭めて袋の口をビス及び枠から外しスタンドを上に持ち上げれば容易に行うことができる。又、ＰＥ製土嚢袋，ＰＦ製ガラ袋等の口紐付の袋は、紐がビスに引っ掛かるのでスタンドから外れることはない。未使用時には外枠と内枠が回動して一体となるので保管と持ち運びが容易に行える。尚、本スタンドは、袋の口を開口保持する目的であり、袋に入れられた物の荷重は地面で受け、両枠は袋の形状を保持する役割として高さ寸法を設定する。従って、寸法を高くしてビスで袋を吊り下げるのは袋の口が破れたり外れたりする恐れがあるので避けたほうがよい。但し、口紐付の袋の場合には作業上での必要があれば吊り下げる状態であってもよい。
【００１０】
鋼管の種類は多種多様あるが主に本発明に使用する鋼管は錆びが発生しないアルミ管、ステンレス管、溶融亜鉛めっき鋼管等を使用目的により選定する。アルミ管は軽量であり美観もよいのでポリ袋を装着し屋内外で発生する比較的軽い化成品、紙類、落ち葉等を入れるのに適している。ステンレス管と溶融亜鉛めっき鋼管（農芸用鋼管、電縫菅、白ガス管等）は堅牢なのでＰＥ製土嚢袋，ＰＦ製ガラ袋等を装着し屋内外の作業現場、工事現場等で発生する廃材、土類、瓦礫等の重量物を入れるのに適している。この場合にステンレス管は価格が高い（溶融亜鉛めっき鋼管の約１０倍）なので特別に要求される以外は使用しないほうがよい。
【００１１】
通常のゴミ袋スタンドはゴミ袋１枚しか装着できない。本スタンドは内枠と外枠の上部分を必要ゴミ袋数分延長し、この間にゴミ袋の口を引っ掛けるビスを必要数螺着すれば１台のスタンドに複数のゴミ袋が装着することができる。従って、従来に無い形態となり一度に複数の袋に各種のゴミを投入できるので作業効率が大幅に向上し多様な用途に対応可能となる。
【００１２】
スタンドの大きさはゴミ袋の寸法により決まる。通常市販されているのは、家庭及び事業所用の容量４５Ｌ，７０Ｌ、９０Ｌのポリ袋及び主に事業所及び産業用のＰＥ製土嚢袋、ＰＰ製ガラ袋等の規格製品である。従って、それぞれの袋の規格に合わせての製作は、形状は同一なので寸法を変えるだけで容易に対応することができる。
【図面の簡単な説明】
【００１３】
【図１】鋼管製折り畳みゴミ袋の口保持傾斜スタンドの上左右角部を成型した鋼管と角部曲げ冶具の横断面図である。
【図２】鋼管製折り畳みゴミ袋の口保持傾斜スタンドの上左右角部を成型した鋼管と角部曲げ冶具の縦断面図である。
【図３】鋼管製折り畳みゴミ袋の口保持傾斜スタンドの斜視図である。
【図４】鋼管製折り畳みゴミ袋の口保持傾斜スタンドに両側抑止板を添設して折り畳んだ正面図である。
【図５】鋼管製折り畳みゴミ袋の口保持傾斜スタンドに片側抑止板を添設して折り畳んだ正面図である。
【図６】鋼管製折り畳みゴミ袋の口保持傾斜スタンドにゴミ袋を装着した側面図である。
【図７】鋼管製折り畳みゴミ袋の口保持傾斜スタンドの上部に複数のビスを螺着して折り畳んだ正面図である。
【図８】鋼管製折り畳みゴミ袋の口保持傾斜スタンドの内枠左右下端にキャスターを設けた側面図である。
【発明を実施するための形態】
【００１４】
各種鋼管を用いて成型した梯形コの字形の内枠に同じく梯形コの字形の外枠を外設し、Ｘ字形立設状態で内枠上面より外枠上面を任意の寸法高く設定して中間部分を回動可能に軸着する。軸着部分には一定以上の開きを防止する抑止板を添設し、外枠と内枠の外側上部にはゴミ袋係止用のビスを螺着する。
【実施例１】
【００１５】
図１は、鋼管製折り畳みゴミ袋の口保持傾斜スタンドにおいて、内枠１と外枠２の上左右角部を形成する角部の曲げ押し冶具と曲げ受け冶具で鋼管を成型した横断面図、図２は縦断面図である。通常鋼管を曲げる場合にはパイプの材質、硬度、直径で最小曲げ半径が決り加工はパイプベンダーで行われているが更に曲げが必要な場合にはエルボを使用し両端に鋼管を溶接するか鋼管を切断し両端を溶接して仕上げる方法がある。本発明においては、使用する各種鋼管の最小曲げ半径では発明品に求められる曲げに対応できない。又、エルボと鋼管の溶接と鋼管の切断溶接は製作及びコスト面において適格な方法ではない。従って、本発明の必要とする曲げ半径は、角部の曲げ押し冶具と曲げ受け冶具で鋼管を押圧すれば鋼管の内側が半円に沿ってへこみ両側に逃げる形態となるのでパイプベンダーでは加工不可能な曲げ半径を得ることが出来る。本冶具を鋼管の径に対応して製作しておけばあらゆる種類の鋼管でパイプベンダーで行う以上の曲げ加工を容易に行うことができる。
【実施例２】
【００１６】
図３は鋼管製折り畳みゴミ袋の口保持傾斜スタンドの斜視図である。角部の曲げ押し冶具と曲げ受け冶具で鋼管を押圧して成型した梯形コの字形の内枠１に、同じく内枠１の面より任意の寸法高くして成型した同形の外枠２を外設し回動可能に軸着部材３で軸着する。軸着部分には左右の上下が対称で内枠１と外枠２を開いた時にそれぞれが干渉し前後に一定以上両側に開かない両側抑止板４を冠着する。従って、ゴミ袋を装着する際に内枠１と外枠２が全開することはない。内枠１と外枠２の上部左右には袋の口を確実に引っ掛けることが出来るビス６を螺着し、下端にはパイプキャップ７を装着する。尚、軸着部分の軸着部材３はボルトとナット、軸の両端カシメ等確実に軸着され緩みが生じない方法でなくてはならない。又、パイプキャップ７はパイプの外からかぶせる形状を図示しているがパイプの中にたたきこんでフタをする丸内栓であってもよい。
【実施例３】
【００１７】
図４は鋼管製折り畳みゴミ袋の口保持傾斜スタンドの折り畳んだ正面図である。内枠１と外枠２は軸着部材３により軸着されているので折り畳んだ時に一体化できる。Ａ−Ａ断面は内枠１と外枠２の軸着部の断面図である。軸着された内枠１と外枠２に冠着された両側抑止板４は内枠１に対しては上部分の間隔が下部分より狭く外枠２に対しては逆の形状となっているので前後どちらに開いても両側抑止板４に内枠１と外枠２がそれぞれ係止するので一定以上開くことはない。
【実施例４】
【００１８】
図５は鋼管製折り畳みゴミ袋の口保持傾斜スタンドの片方開きの折り畳んだ正面図である。
実施例３においては両側抑止板４により前後どちらにでも開ける形態としているが使用条件によっては片側だけの開きでよい場合もある。Ｂ−Ｂ断面は片側抑止板５を内枠１と外枠２に冠着した軸着部上の断面図である。コの字形に成形し内枠１が作動できる所定の切欠を横幅部に任意の寸法で設けた片側抑止板５を軸着部に冠着すれば外枠２は片側抑止板５の上部分に当接しているので片側にしか開かない。
【実施例５】
【００１９】
図６は鋼管製折り畳みゴミ袋の口保持傾斜スタンドに一般のゴミ袋を装着した側面図である。内枠１と外枠２の上面が傾斜しておりゴミ袋の口がビス６に確実に引っ掛かり内枠１と外枠２で張設されるのでゴミ袋にゴミを入れた状態で持ち上げても外れにくく、投入口も傾斜しているのでゴミも入れやすい。又、ＰＥ製土嚢袋，ＰＦ製ガラ袋等の口紐付きの袋は、口紐がビス６の胴に入り込むので袋の口は確実に保持された状態となり外れることは無い。ゴミ投入後のゴミ袋の取り外しは、内枠１と外枠２の上部を少し狭めてゴミ袋の口をビス６から外し、両枠を上に持ち上げればゴミ袋のみが残るので容易に取り出すことができる。尚、本スタンドは、袋の口を開口保持する目的の発明であり、袋に入れられた物の荷重は地面で受ける寸法の設定をするのが望ましい。寸法を高くしてビス６で袋を吊り下げる状態では、袋が弱い場合には袋の口が破れスタンドにも荷重がかかるので特別な場合を除いては避けた方がよい。
【実施例６】
【００２０】
図７は鋼管製折り畳みゴミ袋の口保持傾斜スタンドの上部に複数のビス６を螺着した正面図である。内枠１と外枠２の上面にゴミ袋の口を引っ掛けるビス６を一定間隔で設けることにより複数のゴミ袋を装着することができる。ゴミ装着数は作業性を考慮しパイプの定寸とゴミ袋の寸法で決定すればよい。
【実施例７】
【００２１】
図８は鋼管製折り畳みゴミ袋の口保持傾斜スタンドの内枠１の左右下端にキャスター８を設けた側面図である。内枠１と外枠２に装着したゴミ袋の口が投入されたゴミの荷重に耐えられれば内枠１の左右下端のキャスター８を設けておけば使用途中に外枠２の上面を持ち上げることにより移動を容易に行うことができる。尚、外枠２の下端は接地しておりブレーキ機能となり勝手に移動することはない。
【産業上の利用可能性】
【００２２】
ゴミは家庭内外、道路沿い、公園、河川敷、事務所、工場、公共施設、各種イベント等あらゆる場所で発生する。これらのゴミはほとんどゴミ袋に入れられる。ゴミ袋には一般に使用されているポリ袋と、産業用として工事現場とか災害現場で多く使用されている口紐付のＰＥ製土嚢袋とＰＰ製のガラ袋がある。本提案の鋼管製折り畳みゴミ袋の口保持傾斜スタンドは従来の各種スタンドと比較すると、ゴミの収集時においてはスタンドの開閉とゴミ袋の着脱が容易に行えると共に袋内のゴミも外から確認できるので安全性が高く、作業も効率的に行うことができる。従って、あらゆる場所で発生するゴミに対しての利用の可能性は高い。
【００２３】
使用する鋼管は主にアルミ管、溶融亜鉛めっき鋼管で専用曲げ冶具を使用して押圧加工を行うことにより安価にて大量製作が可能である。他のステンレス、特殊材鋼管等においても押圧加工は同様に行えるので必要に応じて使用すれば多様な用途に対応できる
【００２４】
災害時において土嚢袋は準備、対応、後片付け等に必需品であり、通常は２人１組で土嚢袋に対処しているが、本提案の折り畳みゴミ袋の口保持傾斜スタンドで、例えば３枚の土嚢袋装着用を使用すれば単純計算で６人分を１人での作業が可能となる。又、投入口が傾斜しているので作業効率が大幅に向上し、ワンタッチ感覚組み立てと折り畳みが行えるので不使用時には折り畳むことにより保管場所が少なくて済み移送も容易に行える。
【符号の説明】
【００２５】
１  内枠
２  外枠
３  軸着部材
４  両側抑止板
５  片側抑止板
６  ビス
７  パイプキャップ
８  キャスター
【図１】
2013249176.tif 000003
【図２】
2013249176.tif 000004
【図３】
2013249176.tif 000005
【図４】
2013249176.tif 000006
【図５】
2013249176.tif 000007
【図６】
2013249176.tif 000008
【図７】
2013249176.tif 000009
【図８】
2013249176.tif 000010